(57)【要約】【課題】利用可能なパスを迅速に選定する。【解決手段】セクション試験部１２が、登録予定のパスを構成する複数のセクションに対して通信の可否をそれぞれ試験し、パス登録部１４が、複数のセクションが全て通信可能である場合にのみパスを登録する。また、迂回路算出部１３が、登録予定のパスを構成する複数のセクションのうちいずれかが通信不可の場合、その複数のセクションのうち通信可能なセクションを経由し、セクション試験の総数が最も少ないセクションを経由する迂回路を算出する。【選択図】図１
2018182388.tif 000002
【特許請求の範囲】
【請求項１】
登録予定のパスを構成する複数のセクションに対して通信の可否をそれぞれ試験する試験部と、
前記複数のセクションが全て通信可能である場合にのみ前記登録予定のパスを記憶部に登録する登録部と、
を備えることを特徴とするパス選定装置。
【請求項２】
前記複数のセクションのうちいずれかが通信不可の場合、前記複数のセクションのうち通信可能なセクションを経由し、前記試験の総数が最も少ないセクションを経由する迂回路を算出する迂回路算出部を更に備えることを特徴とする請求項１に記載のパス選定装置。
【請求項３】
パス選定装置で行うパス選定方法において、
前記パス選定装置が、
登録予定のパスを構成する複数のセクションに対して通信の可否をそれぞれ試験する試験ステップと、
前記複数のセクションが全て通信可能である場合にのみ前記登録予定のパスを記憶部に登録する登録ステップと、
を行うことを特徴とするパス選定方法。
【請求項４】
前記複数のセクションのうちいずれかが通信不可の場合、前記複数のセクションのうち通信可能なセクションを経由し、前記試験の総数が最も少ないセクションを経由する迂回路を算出する迂回路算出ステップを更に行うことを特徴とする請求項３に記載のパス選定方法。
【発明の詳細な説明】
【技術分野】
【０００１】
本発明は、パスを選定する技術に関する。
【背景技術】
【０００２】
伝送ネットワークの管理技術では、装置間のＥｎｄ−Ｅｎｄ接続を管理するためにパスという概念が用いられる。複数の装置がリニア状、リング状、又はメッシュ状に接続された伝送ネットワークにおいて、２つのエンド装置とエンド装置間で経由する全てのセクションとを具体的に指定することにより、所定のパスで通信を行うことができる（非特許文献１）。
【０００３】
このパスを登録するため、通信経路の疎通性及び遅延を確認するパス試験及びセクション試験が行われる。パス試験では、図４に示すように、登録予定のパスを試験対象とし、セクション試験では、そのパスを形成する２つの中継装置間又は中継装置とエンド装置間のセクションを試験対象とする（非特許文献２）。従来では、パスを登録する場合、利用したいパスを予め登録し、その後にパス試験を行い、問題が検出された場合に原因区間を特定するためにセクション試験を行っていた。
【先行技術文献】
【非特許文献】
【０００４】
【非特許文献１】宮村、外３名、“次世代コアネットワークの高度制御技術−マルチレイヤ連携機能”、NTT技術ジャーナル、2004年9月、p.13-p.17
【非特許文献２】“ＯＴＮ ネットワークの分割と高度な試験”、アンリツ株式会社、2014年10月
【発明の概要】
【発明が解決しようとする課題】
【０００５】
しかしながら、上述した従来方法では、パスの登録時に、既にセクションに通信障害、装置故障、ケーブル破損等が生じている可能性がある場合でも、一度パスを登録しなくてはパス試験及びセクション試験を実行できない。そのため、問題の発生しているセクションを特定するまでに時間がかかり、その結果、利用可能なパスを登録するまでに時間がかかるという課題があった。また、激甚災害時等、ネットワーク上に故障又は通信障害が発生している可能性が高い場合であっても、利用可能なパスを登録したいという要望もある。
【０００６】
本発明は、上記事情を鑑みてなされたものであり、利用可能なパスを迅速に選定することを目的とする。
【課題を解決するための手段】
【０００７】
以上の課題を解決するため、請求項１に係るパス選定装置は、登録予定のパスを構成する複数のセクションに対して通信の可否をそれぞれ試験する試験部と、前記複数のセクションが全て通信可能である場合にのみ前記登録予定のパスを記憶部に登録する登録部と、を備えることを特徴とする。
【０００８】
請求項２に係るパス選定装置は、請求項１に記載のパス選定装置において、前記複数のセクションのうちいずれかが通信不可の場合、前記複数のセクションのうち通信可能なセクションを経由し、前記試験の総数が最も少ないセクションを経由する迂回路を算出する迂回路算出部を更に備えることを特徴とする。
【０００９】
請求項３に係るパス選定方法は、パス選定装置で行うパス選定方法において、前記パス選定装置が、登録予定のパスを構成する複数のセクションに対して通信の可否をそれぞれ試験する試験ステップと、前記複数のセクションが全て通信可能である場合にのみ前記登録予定のパスを記憶部に登録する登録ステップと、を行うことを特徴とする。
【００１０】
請求項４に係るパス選定方法は、請求項３に記載のパス選定方法において、前記複数のセクションのうちいずれかが通信不可の場合、前記複数のセクションのうち通信可能なセクションを経由し、前記試験の総数が最も少ないセクションを経由する迂回路を算出する迂回路算出ステップを更に行うことを特徴とする。
【発明の効果】
【００１１】
本発明によれば、利用可能なパスを迅速に選定することができる。
【図面の簡単な説明】
【００１２】
【図１】パス選定装置の機能ブロック構成を示す図である。
【図２】パス選定装置の処理フローを示す図である。
【図３】パスの登録例を示す図である。
【図４】パス試験とセクション試験の定義を説明する際の参照図である。
【発明を実施するための形態】
【００１３】
本発明では、上述した課題を解決するため、パス登録を行う前にセクション試験を行い、各セクションに対するセクション試験が全て成功した場合にのみパス登録を行うようにする。これにより、利用可能なパスを迅速に選定することができる。以下、本発明を実施する一実施の形態について図面を用いて説明する。
【００１４】
本実施の形態に係るパス選定装置の機能ブロック構成を図１に示す。パス選定装置１は、パス指定部１１、セクション試験部１２、迂回路算出部１３、パス登録部１４、及びデータ記憶部１５を備えて構成される。このパス選定装置１は、伝送ネットワークを構成する複数の装置とそれぞれ通信可能に接続されている。複数の装置とは、例えばサーバ装置であり、伝送ネットワーク内でリニア状、リング状、又はメッシュ状に相互通信可能に接続された装置群である。各機能部の機能について以降説明する。
【００１５】
パス指定部１１は、パス選定装置１のユーザが指定した登録予定のパスの入力を受け付ける機能部である。例えば、登録予定のパスを構成する２つのエンド装置のＩＤ、その２つのエンド装置間のセクションのＩＤ等であり、パス指定部１１は、登録予定のパスの経路を識別できる情報の入力を受け付ける。
【００１６】
セクション試験部１２は、パス登録部１４でパス登録を行う前に動作する機能部であり、パス指定部１１で受け付けた登録予定のパスを構成する複数のセクションに対して通信の可否をそれぞれ試験する機能部である。
【００１７】
迂回路算出部１３は、セクション試験部１２によるセクション試験の結果、登録予定のパスを構成する複数のセクションのうちいずれかが通信不可の場合、その登録予定のパスの迂回路を算出する機能部である。
【００１８】
パス登録部１４は、登録予定のパス又は該登録予定のパスの迂回路を構成する複数のセクションが全て通信可能である場合にのみ、その登録予定のパス又は該登録予定のパスの迂回路を登録する機能部である。
【００１９】
データ記憶部１５は、パス指定部１１で受け付けた登録予定のパスに関する情報、セクション試験部１２で行われたセクション試験結果に関する情報、迂回路算出部１３で算出された迂回路に関する情報、パス登録部１４で登録された登録パスに関する情報等、パス選定装置１でパス登録を行うために必要な情報を記憶する記憶部である。
【００２０】
以上がパス選定装置１の各機能部が備える機能である。なお、このパス選定装置１は、ＣＰＵ、メモリ、ハードディスク等を備えたコンピュータで実現可能である。また、パス選定装置１としてコンピュータを機能させるためのプログラム、そのプログラムの記憶媒体を作成することも可能である。
【００２１】
次に、上述したパス選定装置１で行うパス選定方法について説明する。このパス選定方法の処理フローを図２に示す。
【００２２】
まず、パス指定部１１は、ユーザが指定した登録予定のパス情報の入力を受け付ける（ステップＳ１）。例えば、図３に示した伝送ネットワークにおいて、Ａ，Ｄの装置をエンド装置とし、Ａ−Ｂ，Ｂ−Ｃ，Ｃ−Ｄの各区間をセクションとして指定されたパス情報が入力される。
【００２３】
次に、セクション試験部１２は、ステップＳ１で受け付けた登録予定のパスを構成するセクションに対して通信の可否を試験し（ステップＳ２）、そのセクション試験が成功したか否かを判定する（ステップＳ３）。そして、そのセクション試験が成功した場合、セクション試験部１２は、登録予定のパスに他のセクションがあるか否かを判定し（ステップＳ４）、他のセクションがある場合には、ステップＳ２へ戻る。
【００２４】
その後、ステップＳ２、ステップＳ３、ステップＳ４が繰り返し行われ、全てのセクションに対するセクション試験が成功した場合にのみ、パス登録部１４は、ステップＳ１で受け付けた登録予定のパスを登録パスとしてデータ記憶部１５に登録する（ステップＳ６）。上記例の場合、Ａ−Ｂ，Ｂ−Ｃ，Ｃ−Ｄを経由するパスが利用可能パスとして登録される。
【００２５】
一方、図３に示すように、Ａ−Ｂの区間に対するセクション試験の成功後、Ｂ−Ｃ区間に対するセクション試験が失敗し、ステップＳ３でセクション試験が失敗と判定された場合には、迂回路算出部１３が、ステップＳ１で受け付けた登録予定のパスの迂回路を算出する（ステップＳ５）。例えば、Ａ−Ｆ，Ｆ−Ｅ，Ｅ−Ｄの各区間をセクションとした迂回路を算出する。
【００２６】
そして、迂回路の算出後にステップＳ２へ戻り、セクション試験部１２は、ステップＳ５で算出された迂回路のセクションに対してセクション試験を行い、その迂回路の全てのセクションに対するセクション試験が成功した場合にのみ、ステップＳ６へ進み、パス登録部１４は、その迂回路を登録パスとしてデータ記憶部１５に登録する。上記例の場合、Ａ−Ｆ，Ｆ−Ｅ，Ｅ−Ｄを経由するパスが利用可能パスとして登録される。
【００２７】
上記例では、登録予定のパス（Ａ−Ｂ，Ｂ−Ｃ，Ｃ−Ｄ）に対して、セクションの重複しないパス（Ａ−Ｆ，Ｆ−Ｅ，Ｅ−Ｄ）が迂回路として算出される。この場合、１つ目のセクション（Ａ−Ｆ）から新たにセクション試験を行うことになるので、試験に成功していたＡ−Ｂ区間のセクション試験が無駄になり、かつ、パス登録処理を終了するまでに時間がかかる。
【００２８】
そこで、迂回路算出部１３は、セクション試験に失敗したセクションのみを除外し、セクション試験に成功したセクションを経由し、更にセクション試験をできるだけ少ない数で行うことが可能なパスを迂回路として算出する。上記例の場合、セクション試験に成功したＡ−Ｂを迂回路の一部として採用し、Ｂ装置からＤ装置までの経路で最もセクション試験数の少ないＢ−Ｆ，Ｆ−Ｅ，Ｅ−Ｄの各区間を迂回路として算出する。そして、Ａ−Ｂのセクションに対するセクション試験はスキップし、Ｂ−Ｆのセクションからセクション試験を開始する。
【００２９】
以上より、本実施の形態によれば、登録予定のパスを構成する複数のセクションに対して通信の可否をそれぞれ試験し、複数のセクションが全て通信可能である場合にのみパスを登録するので、パス登録を行う前に該パスの経路上に異常がないかを予め確認でき、また、障害のあるパスを登録しないことから、“パス登録後にセクション試験を行い、セクション試験に失敗した場合に登録パスを削除する”という従来方法よりも迅速に利用可能なパスを選定することができる。
【００３０】
また、本実施の形態によれば、登録予定のパスを構成する複数のセクションのうちいずれかが通信不可の場合、その複数のセクションのうち通信可能なセクションを経由し、セクション試験の総数が最も少ないセクションを経由する迂回路を算出するので、セクション試験の結果を無駄なく用いることができ、迅速に迂回路を提案することができる。
【符号の説明】
【００３１】
１…パス選定装置
１１…パス指定部
１２…セクション試験部
１３…迂回路算出部
１４…パス登録部
１５…データ記憶部
【図１】
2018182388.tif 000003
【図２】
2018182388.tif 000004
【図３】
2018182388.tif 000005
【図４】
2018182388.tif 000006